(57)【特許請求の範囲】
【請求項１】
単数又は複数の第１末端装置と、単数又は複数の第２末端装置と、が、単数又は複数の中継装置を介してケーブルにより接続され、かつ、前記ケーブルはコネクタを介して前記第１末端装置、前記第２末端装置及び前記中継装置に接続されている配線構造における配線の接続確認システムであって、
前記コネクタと前記ケーブルとの接続関係、及び、前記コネクタと、前記第１端末装置、前記第２末端装置、及び、前記中継装置のいずれかとの接続関係、を示す接続情報が記憶されたデータベースと、
前記コネクタの中から確認の対象となる対象コネクタが指定されると、前記接続情報を順次辿ることにより、前記対象コネクタからその接続端までの接続ルートを特定する処理部と、
を備え、
前記処理部は、
前記対象コネクタから前記接続端までの前記接続ルートが複数存在する場合に、複数の前記ルートを特定するとともに、特定された複数の前記ルートを照合することを特徴とする配線の接続確認システム。
【請求項２】
前記データベースは、
前記コネクタ−ケーブル接続情報及び前記コネクタ−装置接続情報の一方又は双方は、任意箇所におけるケーブルの種類、太さ及び本数を含むケーブル情報を備え、
前記処理部は、
前記接続ルートを特定する際に、前記ケーブル情報を特定する、
請求項１に記載の配線の接続確認システム。
【請求項３】
前記処理部は、
前記対象コネクタに替えて、前記ケーブル、前記第１末端装置、第２末端装置及び中継装置のいずれかの要素が対象要素として指定されると、前記接続情報を順次辿ることにより、前記対象要素からその接続端までの接続ルートを特定する、
請求項１又は２に記載の配線の接続確認システム。
【発明の詳細な説明】
【技術分野】
【０００１】
本発明は、コネクタを介して複数の電子機器間を電線（以下、ケーブル）で接続された配線構造における接続ルートを確認する方法及びシステムに関するものである。
【背景技術】
【０００２】
例えば、入力装置、制御装置及び出力装置の間をワイヤハーネス（wire harness、以下単にハーネス）で接続することで構成されるシステムは、システムが組み上げられた後に、ハーネスを構成する電線が適正なルートで接続されているのか確認する必要がある。ところが、ハーネスの数（配線数）、入力装置などの末端装置又は中継装置の数が多いシステムになると、システムの設計者以外が複数にまたがる配線図から接続ルートの妥当性をチェックするのは容易ではない。
【０００３】
これまで、ハーネスの設計を支援する手法については、例えば特許文献１のように、種々提案されている。例えば、特許文献１は、３次元ＣＡＤ（Computer Aided Design）で設計した３次元モデルを使い、この３次元モデル上でハーネスの配置設計を行ない、その設計工程においてできる限りハーネスの不具合を発見するシステムを前提としている。その中で、特許文献１は、剛性及び最小曲率半径といったハーネスの物理的特性を考慮したハーネスの設計支援システムを提供する。
【先行技術文献】
【特許文献】
【０００４】
【特許文献１】特許第４２３５１８０号公報
【発明の概要】
【発明が解決しようとする課題】
【０００５】
しかしながら、特許文献１を含む従来技術は、ハーネスの設計について支援できるが、接続ルートの妥当性をチェックすることについての効果的な提案を開示していない。また、新たな設計支援システムを導入する際には、配線用部品およびケーブルに関する情報を含む膨大なデータベースライブラリを構築し直す必要がある。また、過去に配線描画システムにて作成した図面データベースも活用できず、部分改良時には最初から配線設計をやり直す必要があり、手戻り作業となる。
本発明は、このような課題に基づいてなされたもので、大規模なシステムであっても、システムの設計者以外が単線単位で接続ルートを容易に確認できる配線の接続確認方法及び接続確認システムを提供することを目的とする。
【課題を解決するための手段】
【０００６】
いかなる複雑な配線も、接続を示す情報は下記の（ａ）及び（ｂ）のいずれかに集約できる。
（ａ）コネクタとケーブル
（ｂ）コネクタと末端装置または中継装置
よって、コネクタに接続されるケーブルの関係をデータベース化すれば、接続ルートをたどることにより、接続情報を把握することができる。そこでなされた本発明は、単数又は複数の第１末端装置と、単数又は複数の第２末端装置と、が、単数又は複数の中継装置を介してケーブルにより接続され、かつ、前記ケーブルはコネクタを介して前記第１末端装置、第２末端装置及び中継装置に接続されている配線構造における配線の接続確認システムに関する。
本発明の接続確認システムは、コネクタとケーブルとの接続関係を示す、及び、コネクタと、第１端末装置、第２末端装置、及び、中継装置のいずれかとの接続関係を示す接続情報が記憶されたデータベースを備える。
そして、本発明の接続確認システムは、コネクタの中から確認の対象となる対象コネクタが指定されると、接続情報を順次辿ることにより、対象コネクタからその接続端までの接続ルートを特定する処理部を備える。処理部は、対象コネクタから接続端までの接続ルートが複数存在する場合に、複数のルートを特定するとともに、特定された複数のルートを照合する。
特定された複数の接続ルートを照合することで、特定された複数の接続ルート同士に整合性が採れているか否かを確認できる。
【０００７】
なお、上記（ａ）において、コネクタからの枝分岐を許さない場合はコネクタとケーブルは１対１に対応し、コネクタからの枝分岐を許す場合はコネクタとケーブルは１対複数に対応する。また、上記（ｂ）においては、コネクタと末端装置（又は中継装置）は、通常、１対複数に対応する。ここで、オスコネクタとメスコネクタとの組み合わせからなる中継コネクタは、オスコネクタと仮想の中継装置が１対１で接続され、かつ、メスコネクタと仮想の中継装置が１対１で接続されているものと看做すことができる。
【０００９】
本発明の配線の接続確認システムにおいて、接続情報が記憶されたデータベースは、コネクタ−ケーブル接続情報及びコネクタ−装置接続情報の一方又は双方は、任意箇所におけるケーブルの種類、太さ及び本数を含むケーブル情報を備え、処理部は、接続ルートを特定する際に、ケーブル情報を特定することが、ケーブル情報を併せて取得できるので好ましい。
本発明の配線の接続確認システムにおいて、処理部は、対象コネクタに替えて、ケーブル、第１末端装置、第２末端装置及び中継装置のいずれかの要素が対象要素として指定されると、接続情報を順次辿ることにより、対象要素からその接続端までの接続ルートを特定する、こともできる。
【発明の効果】
【００１１】
本発明によれば、大規模なシステムであっても、システムの設計者以外が単線単位で接続ルートを容易に特定できる。
【図面の簡単な説明】
【００１２】
【図１】本実施の形態における配線の接続確認システムの構成を示す図である。
【図２】配線の接続確認の手順を示すフローチャートである。
【図３】ケーブル、コネクタ、末端装置及び中継装置が接続された配線例を示す図である。
【図４】ケーブル、コネクタ、末端装置及び中継装置が接続された配線例を示す図である。
【図５】図３、図４の示す配線例で使用されているコネクタとその接続先（コネクタ又は機器）とが対応付けて記憶された接続情報を示す図である。
【図６】図５の接続情報をコネクタについて昇順にソートし、さらに、重複した情報を削除したものを示す図である。
【図７】図６の接続情報（接続情報Ａ）に加え、図６の接続情報のコネクタと接続先を左右に入れ替えた接続情報（接続情報Ｂ）を示す図である。
【図８】図７の接続情報（接続情報Ａ，Ｂ）をコネクタについて昇順にソートすることで得られる接続テーブルデータを示す図である。
【図９】図８の接続テーブルデータにおいて、コネクタ（Ｐ９１４０５）のピン（ピンＮｏ．３１）の接続先を特定するための検索手順を示す図である。
【発明を実施するための形態】
【００１３】
以下、添付図面に示す実施の形態に基づいてこの発明を詳細に説明する。
本実施形態によるワイヤハーネスの接続確認システム１０は、確認の対象となるコネクタを指定することで、対象コネクタからその接続端までの接続ルートを特定することができる。
図１に示すように、接続確認システム１０は、入力部１と、処理部２と、接続情報データベース３と、接続テーブルデータベース４と、表示部５と、を備えている。接続確認システム１０は、パーソナルコンピュータ、その他のコンピュータ装置により構成することができる。
接続確認システム１０は配線描画システム２０と接続されている。配線描画システム２０もまた、コンピュータ装置により構成される。
【００１４】
［接続確認システム１０の概要］
入力部１は、接続関係を接続確認システム１０により特定したいコネクタ（対象コネクタ）を入力する部位である。コンピュータの入力装置としてのキーボードにより入力部１を構成できる。なお、以下では、コネクタを入力部１に入力することを例にして説明するが、ケーブルの他、後述する末端装置、中継装置を特定したい対象（対象要素）にして、これら対象要素の接続ルートを特定することもできる。
処理部２は、接続情報データベース３に記憶された接続情報を読み出して、接続テーブルデータを生成する。また、処理部２は、接続テーブルデータベース４に記憶された接続テーブルデータを読み出して、対象コネクタからその接続端までの接続ルートを特定するための検索を実行する。接続情報及び接続テーブルについては、追って詳しく説明する。
表示部５は、処理部２により処理された結果を表示する。コンピュータの表示装置としてのディスプレイキーボードにより表示部５を構成できる。
以上の接続確認システム１０は、図２に示される手順により接続ルートを検索するとともに、接続ルートの整合性を確認するが、その内容は追って説明する。
【００１５】
［配線描画システム２０の概要］
配線描画システム２０は、ＣＡＤ２１を備える。ＣＡＤ２１は、配線設計作業にともなうコネクタ、ケーブル及び機器に関する接続情報を取得して、配線図を作成する。ＣＡＤ２１は、取得した接続情報を接続確認システム１０の接続情報データベース３に提供する。
【００１６】
［配線図の例］
ＣＡＤ２１により作成された配線図ワイヤダイヤグラム(以下、配線図ＷＤと表記)の一例を図３及び図４に示す。配線図ＷＤの概要を以下説明しておく。
配線図ＷＤは、末端装置Ｔ１（第１端末装置）、末端装置Ｔ２（第２端末装置）及び末端装置Ｔ３（第２端末装置）の相互間の配線を示しており、第１配線図ＷＤ１（図３  上段）、第２配線図ＷＤ２（図３  下段）、第３配線図ＷＤ３（図４  上段）及び第４配線図ＷＤ４（図４  下段）の４枚に区分されている。
第１配線図ＷＤ１（図３）に示されるように、末端装置Ｔ１と末端装置Ｔ２の間には、中継装置Ｒ１（JB91004）と中継装置Ｒ２（JB91002）が介在している。つまり、末端装置Ｔ１と中継装置Ｒ１が接続され、中継装置Ｒ１と中継装置Ｒ２が接続され、さらに中継装置Ｒ２と末端装置Ｔ２が接続されていることが、第１配線図ＷＤ１に示されている。
【００１７】
また、第１配線図ＷＤ２（図３）及び第２配線図ＷＤ２（図３）に示されるように、末端装置Ｔ３は、中継装置Ｒ１（JB91004）を介して末端装置Ｔ１と接続され、また、さらに中継装置Ｒ２（JB91002）を介して末端装置Ｔ１と接続される。なお、第２配線図ＷＤ２は、末端装置Ｔ３を示すことを趣旨とするものであるが、周囲との接続関係を明らかにするために、中継装置Ｒ１、その他の必要なケーブル、コネクタを第１配線図ＷＤ１と重複して示している。第３配線図ＷＤ３及び第４配線図ＷＤ４も同様である。
【００１８】
また、第３配線図ＷＤ３（図４）は、末端装置Ｔ２と中継装置Ｒ２が接続されていることを示している。末端装置Ｔ２と中継装置Ｒ２が接続されていることは第１配線図ＷＤ１にも示されているが、第３配線図ＷＤ３は第１配線図ＷＤ１と異なるコネクタのピンを介して末端装置Ｔ２と中継装置Ｒ２が接続されていることを示している。この点については後述する。
【００１９】
さらに、第４配線図ＷＤ４（図４）は、末端装置Ｔ３と中継装置Ｒ１が接続されていることを示している。末端装置Ｔ３と中継装置Ｒ１が接続されていることは第２配線図ＷＤ２にも示されているが、第４配線図ＷＤ４は第２配線図ＷＤ２と異なるコネクタのピンを介して末端装置Ｔ３と中継装置Ｒ１が接続されていることを示している。この点については後述する。
【００２０】
ここで、配線図ＷＤに示される下記の記号は以下のように定義される。なお、末端コネクタとは、末端装置Ｔ１〜Ｔ３に設けられるコネクタを意味する。
Pxxxxx：オスのコネクタ番号  Jxxxx：メスのコネクタ番号
JBxxxxx：中継装置の番号  xCxxxxxx：ケーブル番号
xxxxx_yy：yyはコネクタのピン番号又は単線の識別記号，xxxxxはコネクタ番号
Jxxxxx_yy_yy_info：末端コネクタのケーブル情報
（上記はケーブルの属性情報の一例であり、左側から順にワイヤハーネスのグループ名、線径、シールド情報、本数を示す）
【００２１】
以上のように定義される記号の例のいくつかを配線図ＷＤを参照して説明する。
第１配線図ＷＤ１において、末端装置Ｔ１にはメスコネクタJ31031が設けられており、このメスコネクタJ31031にはオスコネクタP31031が接続されている。
メスコネクタJ31031及びオスコネクタP31031を介して、一対のケーブルCJ0004A_WHとケーブルCJ0004A_BLがその一端側で末端装置Ｔ１に接続されている。ケーブルCJ0004A_WHとケーブルCJ0004A_BLは、各々、メスコネクタJ31031及びオスコネクタP31031の中のピン番号84，93で特定されるピン（又は端子）に接続されている。本実施形態では２本のケーブルCJ0004A_WHとケーブルCJ0004A_BLで１本のバンドル（線束）に束ねられたハーネスで構成されている。以下も同様であるが、一般にバンドルのケーブル本数は、１本又は複数本から任意に定められるものであり、２本に限定されない。
ケーブルCJ0004A_WHとケーブルCJ0004A_BLは、その他端側が、オスコネクタP91412及びメスコネクタJ91412を介して、中継装置Ｒ１（JB91004）に接続されている。ケーブルCJ0004A_WHとケーブルCJ0004A_BLは、各々、オスコネクタP91412及びメスコネクタJ91412中のピン番号38，46のピンに接続されている。
【００２２】
次に、第１配線図ＷＤ１と第２配線図ＷＤ２を参照すると、第１配線図ＷＤ１のケーブルCJ0008A_WHと第２配線図ＷＤ２のケーブルCJ0008A_WHは同じものであり、また、第１配線図ＷＤ１のケーブルCJ0008A_BLと第２配線図ＷＤ２のケーブルCJ0008A_BLは同じものである。つまり、末端装置Ｔ３に、ケーブルCJ0008A_BLとケーブルCJ0008A_BLが接続されていることが、第１配線図ＷＤ１と第２配線図ＷＤ２に示されている。
第１配線図ＷＤ１と第２配線図ＷＤ２において、ケーブルCL0001A_WHとケーブルCL0001A_BLは同じものである。そして、さらに第４配線図ＷＤ４をも参照すると、中継装置Ｒ１と末端装置Ｔ３がケーブルCL0001A_WH及びケーブルCL0001A_BLにより接続されている。末端装置Ｔ３側の接続部分について観ると、ケーブルCL0001A_WH及びケーブルCL0001A_BLは、オスコネクタP27122及びメスコネクタJ27122を介して末端装置Ｔ３に接続されている。第２配線図ＷＤ２に示すように、オスコネクタP27122及びメスコネクタJ27122を介して、ケーブルCJ0008A_WH及びケーブルCJ0008A_BLが末端装置Ｔ３に接続されている。ただし、ケーブルCL0001A_WH及びケーブルCL0001A_BLは、ピン番号EJ3及びピン番号EK3のピンに接続され（第４配線図ＷＤ４）、ケーブルCJ0008A_WH及びケーブルCJ0008A_BLは、ピン番号AB9及びピン番号AA9のピンに接続され（第２配線図ＷＤ２）ている。つまり、中継装置Ｒ１と末端装置Ｔ３は、２系統のバンドルにより接続されていることが、第２配線図ＷＤ２及び第４配線図ＷＤ４に示されている。
【００２３】
次に、第１配線図ＷＤ１と第３配線図ＷＤ３を参照すると、中継装置Ｒ２と末端装置Ｔ２がケーブル1CL0006A_WH及びケーブル1CL0006A_BLにより接続されている。第３配線図ＷＤ３に示すように、ケーブル1CL0006A_WH及びケーブル1CL0006A_BLは、オスコネクタP27121及びメスコネクタJ27121を介して末端装置Ｔ２に接続されている。第１配線図ＷＤ１に示すように、オスコネクタP27121及びメスコネクタJ27121を介して、ケーブルCJ0006A_WH及びケーブルCJ0006A_BLが末端装置Ｔ２に接続されている。ただし、ケーブル1CL0006A_WH及びケーブル1CL0006A_BLは、ピン番号EJ3及びピン番号EK3のピンに接続され（第３配線図ＷＤ３）、ケーブルCJ0006A_WH及びケーブルCJ0006A_BLは、ピン番号AB9及びピン番号AA9のピンに接続され（第１配線図ＷＤ１）ている。つまり、中継装置Ｒ２と末端装置Ｔ２は、２系統のバンドルにより接続されていることが、第１配線図ＷＤ１、第３配線図ＷＤ３に示されている。
【００２４】
［接続情報の例］
さて、以上説明した配線図ＷＤにおける各要素（末端装置、中継装置、ケーブル及びコネクタ）の接続関係を示す情報（以下、接続情報）が図５に示されている。この接続情報は、接続情報データベース３に記憶されている。処理部２は、接続ルート検索を行なう際に、接続情報データベース３から接続情報を読み込む（図２  Ｓ１０１）。
ここでいう接続関係を示す情報とは、直接的に接続されている要素を対応して示すものをいう。例えば、第１配線図ＷＤ１（図３）において、最上段の「J31031_84  J31031_84_93_info」及び「J31031_93  J31031_84_93_info」は、メスコネクタJ31031のピン番号84、93に末端装置Ｔ１が接続されていることを示している。なお、コネクタのピンには1本の単線（ケーブル）しか接続することができないため、コネクタのピンとケーブル（単線）とは1対1で対応する。
また、第１配線図ＷＤ１において、次の段の、「P31031_84  CJ0004_WH」は、オスコネクタP31031のピン番号84のピンにケーブルCJ0004_WHが接続されていることを示し、「P31031_93  CJ0004_BL」は、オスコネクタP31031のピン番号93のピンにケーブルCJ0004_BLが接続されていることを示している。
図５に示されるその他の接続情報も上記と同様である。
【００２５】
［接続情報の並び替え］
図５に示される接続情報は、配線図ＷＤに重複して記載されているものを含んでいる。例えば、第１配線図ＷＤ１におけるケーブルCJ0004_WHとオスコネクタP91412の接続関係は、第２配線図ＷＤ２及び第４配線図ＷＤ４にも示されている。このように接続が１対複数の関係を配線図ＷＤは含んでいるので、後の検索の迅速化に配慮して、図５に示される接続情報から重複する接続情報を削除する。そのためには、例えば、処理部２は、図５の第１列を基準にソート（並び替え）処理を行った後に、重複する接続情報を削除する（図２  Ｓ１０３）。図６には、ソート処理後であって、重複する接続情報には取消し線を付している。実際には、取消し線が付された個々の接続情報は接続情報から削除される。なお、図６は、第１配線図ＷＤ１〜第４配線図ＷＤ４に示される全ての接続情報が網羅されている。
【００２６】
次に、処理部２は、検索を容易にするために、以下の処理も行う（図２  Ｓ１０５、Ｓ１０７）。
第１列と第２列とを入れ替えた接続情報群Ｂを生成する。そして、もとからある第１列と第２列を入れ替えていない接続情報群Ａと接続情報群Ｂとを並存させる。その結果を図７に示す。ただし、接続情報群Ｂについては、取消し線を付しているように、末端装置Ｔ１〜Ｔ３が特定されている情報を削除する（図２  Ｓ１０５）。このよう末端装置Ｔ１〜Ｔ３に対応する情報をなくすことで、末端装置Ｔ１〜Ｔ３に辿りつくと後の検索を終了させることができると共に、その段階で末端コネクタのケーブル情報を把握することができる。
さらに、第１列を基準にソートを行なって、図８に示す接続テーブルを生成する（図２  Ｓ１０７）。
【００２７】
［検索例］
次に、処理部１は、接続ルートの検索を実行する（図２  Ｓ１０９）オスコネクタP91405（中継装置Ｒ１）のピン番号31のピン（対象コネクタ）の接続端を検索する例を、図９を参照して説明する。なお、図９に示す接続テーブルデータは、図８と同じものであるが、以下の説明で不要な部分の表示を省略している。また、対象コネクタは上記に限らず、末端装置Ｔ１〜Ｔ３、中継装置Ｒ１、Ｒ２に接続されるいずれかのコネクタを対象コネクタにすることができる。
（ａ）第１検索
接続テーブルよりオスコネクタ「P91405_31」に対応するケーブル番号は「CJ0005A_WH」である（図９  第１検索 ステップＳ１１）。
次に、接続テーブルよりケーブル番号「CJ0005A_WH」に対応するコネクタ番号は「P91205_31」である（図９  第１検索 ステップＳ１２）。
次に、接続テーブルよりオスコネクタ「P91205_31」に対応するケーブル番号は「JB91002_1WH」である（図９  第１検索 ステップＳ１３）。
次に、接続テーブルよりケーブル番号「JB91002_1WH」に対応するコネクタ番号は「P91203_59」である（図９  第１検索 ステップＳ１４）。
以下、ステップＳ１５〜Ｓ１７（図９  第１検索）というように同様の手順で辿っていくことにより、末端コネクタである「J27121_AB9_AA9_info」に到達する。こうして、オスコネクタ「P91405_31」からメスコネクタ「J27121_AB9」までの接続ルートが特定されるとともに、この末端コネクタのケーブル情報により、調査元「P91405_31」のケーブル情報が以下のように判明する。
処理部２は、表示部５に接続ルート及びケーブル情報を表示させることができる（図２  Ｓ１１３）。例えば、図９に示される第１検索の手順を示すことで接続ルートを表示部５に表示できる。なお、下記のケーブル情報は、K5が当該ワイヤハーネスのグループ名、ケーブルの線径、ケーブルに設けられているシールドの情報、ケーブルの本数、を示している。
ケーブル情報  「K5    24    2S    1」
【００２８】
（ｂ）第２検索
上述したオスコネクタP91405（中継装置Ｒ１）のピン番号31のピンの接続端（接続ルート）、およびケーブル情報を検索する場合、第１検索のステップＳ０４において、ケーブル番号「JB91002_1WH」に対応するコネクタ番号は、上述した第1検索に加えて、「J91203_4」も存在する。したがって、ここからは第１検索とは異なる接続ルートが図９の第２検索（Ｓ１４〜Ｓ１７）として示される手順で辿っていくことにより、末端コネクタである「J27121_EJ3_EK3_info」に到達する。こうして、オスコネクタ「P91405_31」からメスコネクタ「J27121_EJ3」までの接続ルートが特定されるとともに、この末端コネクタのケーブル情報より、調査元「P91405_31」のケーブル情報が以下のように判明する。
ケーブル情報：「K5    24    2S    1」
なお、第２検索中のステップＳ２１〜Ｓ２３は第１検索のステップＳ１１〜Ｓ１３と同じである。
【００２９】
（ｃ）第３検索〜第４検索
第１検索、第２検索はオスコネクタ「P91405_31」について行ったが、「P91405_31」で特定されるピンに嵌合するメスコネクタ「J91405_31」で特定されるピンについて同様に検索することで、複数存在する全ての接続ルートを把握することができる。その例が、第３検索、第４検索として、図９に示されている。第３検索、第４検索の検索手順は、第１検索、第２検索と同様であるので、詳細は省略するが、メスコネクタ「J91405_31」に対応するケーブル番号は「JB91004_1WH」である（図９  第３検索 ステップＳ２１）。そして、ケーブル番号「JB91004_1WH」に対応するコネクタ番号は「P91412_38」と「P91401_107」の２つがあるので、第３検索と第４検索が処理部２により実行される。
【００３０】
第３検索及び第４検索で得られる末端コネクタは各々「J31031_84_93_info」及び「J27122_AB9_AA9_info」であり、そのケーブル情報は以下の通りである。
第３検索（ケーブル情報）：「K5    24    2S    1」
第４検索（ケーブル情報）：「K5    24    2S    1」
【００３１】
［整合性確認］
以上のようにして全ての接続ルートの検索が終了したならば、処理部２は各検索で得られたケーブル情報を照合する（図２  Ｓ１１１）。上記第１検索〜第４検索の例では、全てのケーブル情報が「K5    24    2S    1」で一致しており、各検索の整合性が採れていることが確認された（図２  Ｓ１１１）。処理部２は、全てのケーブル情報の整合性が採れているか否かを表示部５に表示させる（図２  Ｓ１１３）。
【００３２】
以上説明したように、本実施形態によると、接続ルート検索を配線図ＷＤから得られる接続情報（データベース）を元に行なう。このように本実施形態は、配線ＣＡＤを使用することなく接続ルート検索を行い、かつケーブル情報を取得できる。
本実施形態において、中継装置の番号、ケーブル番号に対応して、個々に配線長の情報を持っていれば、その値を個々の接続ルート単位で集計することにより、ケーブル長を求めることができる。
さらに、複数の単線の集合としてバンドル（線束）番号を対応付ければ、バンドル（線束）に含まれる全てのケーブル情報を容易に得ることができる。
さらにまた、配線図を参照する大多数の設計者に提供されるのは接続情報の結果のみで足りるから、これらの者にＣＡＤライセンスは必要としない。
【００３３】
なお、上記実施形態の説明に用いた配線構造はあくまで一例であり、他の配線構造についても本発明を適用できることは言うまでもない。
また、配線構造が適用される装置、機器類に制限はなく、末端装置及び中継装置がケーブルにより接続された種々の装置、機器に本発明を適用することができる。
これ以外にも、本発明の主旨を逸脱しない限り、上記実施の形態で挙げた構成を取捨選択したり、他の構成に適宜変更することが可能である。
【符号の説明】
【００３４】
１    入力部
２    処理部
３    接続情報データベース
４    接続テーブルデータベース
５    表示部
１０    接続確認システム
２０    配線描画システム
Ｒ１，Ｒ２    中継装置
Ｔ１，Ｔ２，Ｔ３    末端装置
【要約】      （修正有）【課題】大規模なシステムであっても、システムの設計者以外が単線単位で接続ルートを容易に特定できる配線の接続確認方法を提供する。【解決手段】末端装置と、中継装置を介してケーブルにより接続され、かつ、ケーブルはコネクタを介して末端装置と、中継装置に接続されている配線構造における配線に対して、接続テーブルデータベースから読み出したコネクタとケーブルとの、及び、コネクタと、末端装置、及び、中継装置のいずれかとの、接続情報に基づき、指定された確認対象要素から接続情報を順次辿ることにより、その接続端までの接続ルートを特定する。【選択図】図１【図１】
0005182973.tif 000002
【図２】
0005182973.tif 000003
【図３】
0005182973.tif 000004
【図４】
0005182973.tif 000005
【図５】
0005182973.tif 000006
【図６】
0005182973.tif 000007
【図７】
0005182973.tif 000008
【図８】
0005182973.tif 000009
【図９】
0005182973.tif 000010